(57)【要約】      （修正有）【課題】特殊加工を行うことなく、撮像素子用の放熱板とその周辺の部材とを安定的に接続する撮像装置を提供する。【解決手段】少なくとも２つの撮像素子３０と、複数の撮像素子３０が電気的に接続される複数の回路基板４０とを備えた。また、複数の回路基板４０の接地電位部と接続された基板であり、その一部の領域に孔を有する複数の接地用基板７０と、複数の接地用基板７０間の導通をとる板であり、その一部の領域に孔を有する導電板と、複数の撮像素子３０で発生する熱を放熱する板であり、複数の接地用基板７０の孔及び導電板の孔に嵌め込まれる曲げ部を有する複数の放熱板５０とを備えた。そして、複数の放熱板５０の曲げ部に、導電板の孔と、接地用基板７０の孔とを嵌め込んだ状態で、放熱板５０、導電板、接地用基板７０とをネジ８０を用いて固定するようにした。【選択図】図１
2008198669.tif 000002
【特許請求の範囲】
【請求項１】
少なくとも２つの撮像素子と、
前記複数の撮像素子が電気的に接続され、前記複数の撮像素子のそれぞれに対応して設けられた複数の回路基板と、
前記複数の回路基板の接地電位部と接続され、その一部の領域に孔を有する複数の接地用部材と、
前記複数の接地用部材間の導通をとる板であり、その一部の領域に孔を有する導電板と、
前記複数の撮像素子で発生する熱を放熱する板であり、前記複数の接地用部材の孔及び前記導電板の孔に嵌め込まれる曲げ部を有する複数の放熱板と、
前記複数の放熱板と、前記導電板と、前記複数の接地用基板とを接続する締結部材とを備えたことを特徴とする
撮像装置。
【請求項２】
請求項１記載の撮像装置において、
前記放電板は、銅又はアルミニウム、あるいはそれらの金属を含む合金で構成されることを特徴とする
撮像装置。
【請求項３】
請求項１記載の撮像装置において、
前記複数の接地用基板の孔及び前記導電板の孔に嵌め込まれる曲げ部は、前記複数の放熱板の先端部分に設けられたことを特徴とする
撮像装置。
【請求項４】
前記複数の回路基板と前記複数の放熱板とは、前記接地用部材を介して電気的に接続されることを特徴とする
撮像装置。
【請求項５】
少なくとも２つの撮像素子と、
前記複数の撮像素子が電気的に接続される複数の回路基板と、
前記複数の回路基板の接地電位部と接続され、その一部の領域に孔を有する複数の接地用部材と、
前記複数の接地用部材間の導通をとる板であり、その一部の領域に孔を有する導電板と、
前記複数の撮像素子で発生する熱を放熱する板であり、前記複数の接地用部材の孔及び前記導電板の孔に嵌め込まれる曲げ部を有する複数の放熱板と、
前記複数の放熱板と、前記導電板と、前記複数の接地用基板とを固定する固定部材とを備えた撮像装置の製造方法であって、
前記複数の放熱板の曲げ部に前記導電板の孔を嵌め込み、
前記導電板の孔に嵌め込まれた前記複数の放熱板の曲げ部に、前記接地用基板の孔を嵌め込んだ状態で、
前記放熱板と、前記導電板と、前記接地用部材とを前記締結部材を用いて接続して固定することを特徴とする
撮像装置の製造方法。
【発明の詳細な説明】
【技術分野】
【０００１】
本発明は、撮像装置及び撮像装置の製造方法に関し、特に撮像素子を少なくとも２つ備えた撮像装置及び撮像装置の製造方法に関する。
【背景技術】
【０００２】
近年、ＣＣＤ（Charge Coupled Devices）やＣＭＯＳ（Complementary Metal Oxide Semiconductor）素子等の撮像素子を用いた撮像装置において、ＨＤ（High Definition）対応のものが増えてきている。高精細、高解像度の映像を得るためには、撮像素子において膨大な量の映像信号を処理する必要があり、駆動周波数も高くする必要が生じる。また、これに比例して撮像素子における発熱量も増加する。
【０００３】
このため、高精細、高解像度の映像を得ることを目的とする撮像装置では、ＧＮＤ（グランド）の強化や放熱対策が重要となってきている。撮像素子の放熱対策としては、回路基板と撮像素子との間に板状の放熱部材（放熱板）を挟む構成をとることが多い。このような構成においては、撮像素子で生じた熱は放熱板を通して空気中に放熱される。
【０００４】
グランドの強化には様々な手法が採られているが、特に２板以上の撮像方式を採用した撮像装置においては、複数の撮像素子における接地電位を合わせることで、グランドの強化を図ることが可能となる。複数の撮像素子における接地電位を合わせる手法としては、それぞれの回路基板の接地電位部を、銅箔等で構成された導電板に接続させる手法等が知られている。
【０００５】
特許文献１には、基板の裏面に設けたランドを介して接続した金属箔により、撮像素子の放熱を行うことについての開示がある。
【特許文献１】特開２００６−１８６４８３号公報
【発明の開示】
【発明が解決しようとする課題】
【０００６】
ところで、放熱板と回路基板との接続には、半田で直接接続する手法や、放熱板と回路基板の接地電位部とをつなぐ部材として接地用基板を用い、放熱板と電気的接地用基板とをネジ等で物理的に接続する手法等がある。ネジを用いて接続を行う場合には、ネジ締めの回転トルクにより接地用基板が回転してしまうことを防ぐため、放熱板と接地用基板に、回り止め用のダボ及びダボ用の孔を設けることが行われる。ダボとダボ用の孔とが合わさることで、放熱板と接地用基板との位置が固定され、ネジ止めの回転トルクが加わっても、接地用基板が放熱板に対して回転してしまうことがなくなる。ダボの長さは、接地用基板と放熱板の厚さに応じて調整される。
【０００７】
放熱板としては、放熱性が高く、加工のしやすいアルミニウム板が使われることが多かったが、近年では銅板が使われることが増えてきている。撮像素子での処理速度が向上したことに伴い、撮像素子の発熱も大きくなってきたため、放熱板として、より放熱性の高い材質を用いる必要が出てきたためである。
【０００８】
ところが、銅板はアルミニウム板に比べて加工性が悪いため、ダボの長さを長くする絞りの技術を適用することが難しい。ダボは通常、板厚の半分しか長さを出せないため、絞り加工により長さを出せないとなると、接地用基板がダボに乗り上げてしまう可能性が高くなる。複数の撮像素子における接地電位を合わせる導電版を、導電板と接地用基板の間にかませる場合などは特に、接地用基板がダボに乗り上げてしまう確率が高くなる。これを防ぐため、ダボの長さを出す絞りの技術を銅板に適用させるとなると、特殊加工が必要となるため、コストがかかってしまうという問題があった。
【０００９】
本発明はかかる点に鑑みてなされたものであり、特殊加工を行うことなく、撮像素子用の放熱板とその周辺の部材とを安定的に接続することを目的とする。
【課題を解決するための手段】
【００１０】
本発明は、少なくとも２つの撮像素子と、複数の撮像素子が電気的に接続され、前記複数の撮像素子のそれぞれに対応して設けられた複数の回路基板とを備えた。また、複数の回路基板の接地電位部と接続され、その一部の領域に孔を有する複数の接地用部材と、複数の接地用部材間の導通をとる板であり、その一部の領域に孔を有する導電板と、複数の撮像素子で発生する熱を放熱する板であり、複数の接地用基板の孔及び導電板の孔に嵌め込まれる曲げ部を有する複数の放熱板とを備えた。さらに、複数の放熱板と、導電板と、複数の接地用基板とを接続する締結部材とを備えた。そして、複数の放熱板の曲げ部に導電板の孔を嵌め込み、導電板の孔に嵌め込まれた複数の放熱板の曲げ部に接地用基板の孔を嵌め込んだ状態で、放熱板、導電板、接地用基板とを締結部材を用いて接続し固定するようにした。
【００１１】
このようにしたことで、放熱板と、導電板と、接地用部材のそれぞれの位置が固定され、動きが制限された状態で、放熱板と、導電板と、接地用部材がネジ止めされるようになる。
【発明の効果】
【００１２】
本発明によると、放熱板に設けられた曲げ部と、導電板及び接地用部材に設けられた孔とが合わせられ、それぞれの動きが規制された状態でネジなどの締結部材で接続されるため、放熱板と、導電板と、接地用部材とが、安定的に接続するようになる。
【発明を実施するための最良の形態】
【００１３】
以下、本発明の一実施の形態を、添付図面を参照して説明する。本実施の形態においては、本発明の撮像装置を、ＣＣＤ（Charge Coupled Devices）撮像素子を３つ備えた、３板式撮像方式の撮像装置に適用してある。
【００１４】
図１は、３つの撮像素子が固着された、プリズムブロック１００の構成例を示す図である。図１に示したプリズムブロック１００において、入射光をＲ（赤）、Ｇ（緑）、Ｂ（青）に分解する色分解プリズム２０は、図示せぬレンズユニットとのインターフェースである、レンズ取り付け用ベース１０に固着してある。レンズ取り付け用ベース１０には、レンズユニットを介して入射する入射光を取り込むための図示せぬ窓を設けてあり、入射光は、レンズ取り付け用ベース１０の窓を通して色分解プリズム２０に入射される。
【００１５】
色分解プリズム２０は、入射光のうちＢ光線を透過するブロックと、Ｒ光線を透過するブロックと、Ｇ光線を透過するブロックの３つのブロックにより構成される。そして、Ｒ，Ｇ，Ｂに分光されたそれぞれの光が出射される３つの出射面上に、Ｂ光線を光電変換する撮像素子３０Ｂと、Ｇ光線を光電変換する撮像素子３０Ｇと、Ｒ光線を光電変換する撮像素子３０Ｒとを固着してある。図１においては、撮像素子３０Ｂの図示を省略してあり、撮像素子３０Ｒは、破線で示してある。
【００１６】
撮像素子３０Ｂ，３０Ｇ，３０Ｒは、撮像素子の発熱を空気中に放熱するための放熱板５０Ｂ，５０Ｇ，５０Ｒと、モールド材等で構成された絶縁板６０Ｂ，６０Ｇ，６０Ｒ（６０Ｒは図示略）を介して、回路基板４０Ｂ，４０Ｇ，４０Ｒに接続してある。放熱板５０Ｂ，５０Ｇ，５０Ｒは、それぞれコの字型の形状としてあり、絶縁板６０Ｂ，６０Ｇ，６０Ｒ及び撮像素子３０Ｂ，３０Ｇ，３０Ｒと接触している面と、色分解プリズム２０の側面に接触する２つの面とを有する形状としてある。放熱板５０Ｂ，５０Ｇ，５０Ｒの形状の詳細については後述する。
【００１７】
撮像素子３０Ｂ，３０Ｇ，３０Ｒの、回路基板４０Ｂ，４０Ｇ，４０Ｒへの接続は、端子３１Ｂ，３１Ｇ，３１Ｒ（端子３１Ｂ，３１Ｒは図示略）を回路基板４０Ｂ，４０Ｇ，４０Ｒの裏面に半田付けすることにより行ってある。
【００１８】
回路基板４０Ｂ，４０Ｇ，４０Ｒには、フレキシブルケーブル４１Ｂ，４１Ｇ，４１Ｒを介して接地用基板７０Ｂ，７０Ｇ，７０Ｒを接続してある。接地用基板７０Ｂ，７０Ｇ，７０Ｒは、銅箔等で構成された導電板９０と接触させてあり、放熱板５０Ｂ，５０Ｇ，５０Ｒと導電板９０と、接地用基板７０Ｂ，７０Ｇ，７０Ｒとは、ネジ８０Ｂ，８０Ｇ，８０Ｒによってネジ止めしてある。接地用基板７０Ｂ，７０Ｇ，７０Ｒは、それぞれ、回路基板４０Ｂ，４０Ｇ，４０Ｒの図示せぬ接地電位部と接続してあるため、接地用基板７０Ｂ，７０Ｇ，７０Ｒが一枚の導電板９０と接触していることにより、３つの回路４０Ｂ，４０Ｇ，４０Ｒにおける電位が統一される。これにより、グランドの強化を図れる。
【００１９】
次に、図２を参照して、放熱板５０と接地用基板７０との接続の詳細について説明する。放熱板５０と接地用基板７０との接続は、Ｒ，Ｇ，Ｂの各チャンネルにおいて共通あるため、図２では、Ｇチャンネル用の放熱板５０Ｇと接地用基板７０Ｇを例に挙げて説明する。図２は、図１に示されたＡ−Ａ線に沿う断面図である。撮像素子３０Ｇの、放熱板５０Ｇとの接続面には銅箔３２Ｇを接着してあり、銅箔３２Ｇを介して、撮像素子３０Ｇで発生した熱が放熱板５０Ｇに伝わる。放熱板５０Ｇに伝わった熱は、放熱板５０Ｇを介して空気中に放散される。なお、図２においては、色分解プリズムの図示を省略してある。
【００２０】
放熱板５０Ｇと回路基板４０Ｇとの間には、絶縁用の絶縁板６０Ｇをかませてある。絶縁板６０Ｇには図示せぬ位置合わせ用の突起を設けてあり、放熱板５０Ｇの、突起に対応する位置には孔を設けてある。これらが合わさることで、放熱板５０Ｇと絶縁板６０Ｇとの位置が固定される。撮像素子３０Ｇの端子３１Ｇの、回路基板４０Ｇへの半田付けは、撮像素子３０Ｇを回路基板４０Ｇに押し付けながら行うようにしてあるため、端子３１Ｇが回路基板４０Ｇの裏面に半田で固定されることで、撮像素子３０Ｇと回路基板４０Ｇとの間に挟んである放熱板５０Ｇ、絶縁板６０Ｇも、回路基板４０Ｇに対して固定されることになる。
【００２１】
回路基板４０Ｇの端部には、フレキシブルケーブル４１Ｇを介して接地用基板７０Ｇが接続されている。接地用基板７０Ｇは、放熱板５０Ｇのコの字に曲げられた側面に対して平行に配置してあり、放熱板５０Ｇとの間に導電板９０を挟んだ状態で、ネジ８０Ｇによりネジ止めされている。接地用基板７０Ｇには、回り止め用孔７２Ｇを設けてあり、この回り止め用孔７２Ｇには、放熱板５０Ｇの先端に設けられた、回り止め用曲げ部５１Ｇが嵌めこまれる構成としてある。
【００２２】
図３には、接地用基板７０Ｇと導電板９０、放熱板５０Ｇの接続の詳細について図示してある。接地用基板７０Ｇと導電板９０、放熱板５０Ｇには、ネジ８０Ｇを通す孔として、それぞれネジ用孔７２Ｇ、ネジ用孔９２Ｇ、ネジ用孔５２Ｇを設けてあり、これらの孔にネジ８０Ｇが差し込まれることにより、接地用基板７０Ｇ、導電板９０、放熱板５０Ｇとが固定される構成としてある。
【００２３】
また、放熱板５０Ｇの先端部分には、回り止め用曲げ部５１Ｇを設けてあり、放熱板５０Ｇの上に配置される導電板９０と、導電板９０の上に配置される接地用基板７０Ｇには、回り止め用曲げ部５１Ｇを差し込む孔を設けてある。導電板９０には、回り止め用孔９１Ｇを設けてあり、接地用基板７０Ｇには回り止め用孔７１Ｇを設けてある。ネジ８０Ｇによるネジ締めは、導電板９０の回り止め用孔９１Ｇと接地用基板７０Ｇの回り止め用孔７１Ｇに、放熱板５０Ｇの回り止め用曲げ部５１Ｇが嵌め込まれた状態で行うようにしてある。
【００２４】
次に、図４を参照して、放熱板５０Ｇの形状の詳細について説明する。図４には、放熱板５０Ｇを形成する手順の例を図示してある。まず、図４（ａ）に示してあるように、一枚の銅板５上に、図中の破線で示された放熱板５０Ｇ用の型を形成し、図４（ｂ）に示したもののように型を抜く。このとき、外形を抜くのと同時に、ネジが取り付けられるためのネジ用孔５２Ｇと、絶縁板６０Ｇとの位置決め用の孔である、位置合わせ用孔５３Ｇ−ａ及び５３Ｇ−ｂも設ける。位置合わせ用孔５３Ｇ−ａと５３Ｇ−ｂが設けられた面は、回路基板４０Ｇに対して平行に配置される面となる。
【００２５】
図４（ｃ）では、放熱板５０Ｇの先端に設けられた突起部分を、垂直方向の上方向に折り曲げて、回り止め用曲げ部５１Ｇを形成している。そして、図４（ｃ）において破線で示した２本の線の位置を境に、図中に矢印で示した方向に力を加えて、曲げ加工を行う。このように加工した状態を、図４（ｄ）に示してある。放熱板５０Ｇの、回り止め用曲げ部５１が設けられた面には、導電板９０と接地用基板７０Ｇ（いずれも図３参照）が重ねて配置される。
【００２６】
図５には、導電板９０の構成例を示してある。導電板９０には、３つのネジ用孔９２Ｂ，９２Ｇ，９２Ｒを設けてあり、それぞれのネジ用孔の位置から、導電板９０の中心部の方向に少し入った位置に、回り止め用孔９１Ｇと、回り止め用切り欠き９３Ｒを設けてある。回り止め用孔９１Ｇには、放熱板５０Ｇの回り止め用曲げ部５１Ｇが嵌め込まれ、回り止め用切り欠き９３Ｒには、放熱板５０Ｇの回り止め用曲げ部５１Ｒが嵌め込まれる。
【００２７】
図６に、導電板９０が取り付けられる前のプリズムブロック１００の様子を、斜視図として示してある。図６においては、図２に断面図として示した状態で互いに接続された、回路基板４０Ｂ，４０Ｇ，４０Ｒと絶縁板６０Ｂ，６０Ｇ，６０Ｒ（６０Ｒは図示略）、放熱板５０Ｂ，５０Ｇ，５０Ｒ（５０Ｒは図示略）、撮像素子３０Ｂ，３０Ｇ，３０Ｒ（撮像素子３０Ｂは図示略）とが、色分解プリズム２０の出射面上に固着された状態を示してある。放熱板５０Ｂ，５０Ｇ，５０Ｒの回り止め用曲げ部５１Ｂ，５１Ｇ，５１Ｒは、色分解プリズム２０がある方向とは反対の方向である外側に向けて曲げて形成してある。
【００２８】
図６に示した状態のプリズムブロック１００に、導電板９０を取り付けた場合の図を、図７に示してある。図７において、放熱板５０Ｇの回り止め用曲げ部５１Ｇには、導電板９０の回り止め用孔９１Ｇを嵌め込んであり、放熱板５０Ｒの回り止め用曲げ部５１Ｒには、導電板９０の回り止め用切り欠き９３Ｒを嵌め込んである。導電板９０の上に接地用基板７０Ｂ，７０Ｇ，７０Ｒを配置し、ネジ８０Ｂ，８０Ｇ，８０Ｒでネジ止めした状態を、図８に示してある。
【００２９】
図８においては、導電板９０の上面に接地用基板７０Ｂ，７０Ｇ，７０Ｒを配置してあり、接地用基板７０Ｂ，７０Ｇ，７０Ｒの回り止め用孔７１Ｂ，７１Ｇ，７１Ｒに、放熱板５０Ｂ，５０Ｇ，５０Ｒの回り止め用曲げ部５１Ｂ，５１Ｇ，５１Ｒを嵌め込んである。この状態で、接地用基板７０Ｂ，７０Ｇ，７０Ｒに設けられたネジ用孔７２Ｂ，７２Ｇ，７２Ｒに、ネジ８０Ｂ，８０Ｇ，８０Ｒが差し込まれることにより、放熱板５０Ｂ，５０Ｇ，５０Ｒと導電板９０、接地用基板７０Ｂ，７０Ｇ，７０Ｒとが固定されている。
【００３０】
このように、導電板９０の回り止め用孔９１Ｇと、接地用基板７０Ｇの回り止め用孔７１Ｇに、放熱板５０Ｇの回り止め用曲げ部５１Ｇが嵌め込まれ、導電板９０の回り止め用切り欠き９３Ｒと、接地用基板７０Ｒの回り止め用孔７１Ｒに、放熱板５０Ｒの回り止め用曲げ部５１Ｒが嵌め込まれ、接地用基板７０Ｂの回り止め用孔７１Ｂに放熱板５０Ｂの回り止め用曲げ部５１Ｂが嵌め込まれた状態でネジ止めをすることで、ネジ締めのトルクによって、導電板９０や接地用基板７０Ｂ，７０Ｇ，７０Ｒが回転してしまうということがなくなる。
【００３１】
また、導電板９０や接地用基板７０Ｂ，７０Ｇ，７０Ｒの回転を防ぐための機構として、放熱板５０Ｂ，５０Ｇ，５０Ｒに曲げを設ける構成としたため、放熱板にダボや絞りにより回り止めを形成する場合に比べて、加工が容易となる。よって、熱伝導率は高いが、比較的加工が難しい銅を放熱板として採用することができるようになり、従来のアルミニウム板等を放熱板として用いる構成に比べて、より放熱性が高い構成とすることができる。
【００３２】
また、回り止めの機構として、曲げによる加工で形成される機構を採用しているため、放熱板として銅を用いた場合でも、ダボや絞り等の特殊加工を行う必要がなくなり、製造コストを削減することができる。
【００３３】
また、放熱板５０Ｂ，５０Ｇ，５０Ｒに設ける回り止め用曲げ部の高さは、自由に調節が可能であるため、曲げ部の高さを高くすることで、導電板９０以外の部材を間に挟んでも、回り止めとしての機能を維持させることが可能となる。つまり、回り止めとしての機能を維持しつつ、放熱強化やグランド（接地電位部）強化のために、新たな他の部材を放熱板５０Ｂ，５０Ｇ，５０Ｒと接地用基板７０Ｂ，７０Ｇ，７０Ｒとの間に積層することも可能となる。
【００３４】
次に、本例の撮像装置２００の内部構成例について、図９のブロック図を参照して説明する。レンズ１を通り、レンズ取り付け用ベース１０の図示せぬ入射孔を通った光は、色分解プリズム２０でＢ，Ｇ，Ｒの３色に分解される。そして、Ｂ，Ｇ，Ｒに分解された各光線は、それぞれ撮像素子３０Ｂ，３０Ｇ，３０Ｒの図示せぬ受光部で結像される。
【００３５】
撮像素子３０Ｂ，３０Ｇ，３０Ｒでは、受光部に結像された光学像の明暗に応じた量の信号電荷を蓄積し、電気信号として出力する。撮像素子３０Ｂ，３０Ｇ，３０Ｒから出力された電気信号は、それぞれＣＤＳ（Correlated Double Sampling）回路１１Ｂ，１１Ｇ，１１Ｒに供給される。ＣＤＳ回路１１Ｇ，１１Ｒ，１１Ｂは、撮像素子３０Ｂ，３０Ｇ，３０Ｒから得られた電気信号に含まれるリセットノイズを低減して撮像信号を生成し、生成した撮像信号をアナログ・デジタル変換部１２Ｂ，１２Ｇ，１２Ｒ（以降、Ａ／Ｄ変換部と称する）に供給する。
【００３６】
Ａ／Ｄ変換部１２Ｂ，１２Ｇ，１２Ｒでは、入力されたアナログの撮像信号をデジタルの撮像信号に変換して信号処理部１３に供給する。信号処理部１３では、Ａ／Ｄ変換部１２Ｂ，１２Ｇ，１２Ｒから供給されたデジタルの撮像信号の、黒レベルＯＢ（オプティカルブラック）を一定基準値に固定するフィーダバッククランプ処理や、撮像信号のあるレベル以上を圧縮するニー補正、撮像信号のレベルを設定されたγカーブに従って補正するγ補正、白バランスをとるためのホワイトクリップ処理等を行う。信号処理部１３で各種処理が行われた撮像信号は、端子１４を通して図示せぬ表示部等に出力される。
【００３７】
なお、ここまで説明した実施の形態では、３板式の撮像装置に適用した例を挙げたが、少なくとも２つの撮像素子を備えた撮像装置であれば、２板式や４板式の撮像装置等に適用してもよい。
【００３８】
また、上述した実施の形態では、撮像素子としてＣＣＤを用いた例を挙げたが、ＣＭＯＳ（Complementary Metal Oxide Semiconductor）で撮像素子を構成した場合にも適用可能である。
【００３９】
また、上述した実施の形態では、放熱板及び導電板として銅を使用した例を挙げたが、銅合金を用いてもよい。もしくは、熱伝導率の高い素材であれば、アルミニウムやアルミニウム合金等、銅以外の素材を用いるようにしてもよい。
【００４０】
また、上述した実施の形態では、複数の回路基板間の電位を合わせるための導電板を用いた構成としたが、導電板を使用しない場合に適用してもよい。また、上述した実施の形態では、ネジを使用したネジ止めで接続して固定する構成としたが、その他の締結部材を使用するようにしてもよい。
【図面の簡単な説明】
【００４１】
【図１】本発明の一実施の形態によるプリズムブロックの構成例を示す斜視図である。
【図２】本発明の一実施の形態による放熱板と接地用基板の接続例を示す側面断面図である。
【図３】本発明の一実施の形態による接地用基板、導電板と放熱板との取り付け例を示す分解斜視図である。
【図４】本発明の一実施の形態による放熱板の形成手順の例を示す説明図である。
【図５】本発明の一実施の形態による導電板の構成例を示す正面図である。
【図６】本発明の一実施の形態による導電板の取り付け前のプリズムブロックの例を示す斜視図である。
【図７】本発明の一実施の形態による導電板が取り付けられたプリズムブロックの例を示す斜視図である。
【図８】本発明の一実施の形態によるネジ止め完了後のプリズムブロックの例を示す斜視図である。
【図９】本発明の一実施の形態による撮像装置の内部構成例を示すブロック図である。
【符号の説明】
【００４２】
１…レンズ、１０…レンズ取り付け用ベース、１１Ｒ，１１Ｇ，１１Ｂ…ＣＤＳ回路、１２Ｒ，１２Ｇ，１３Ｂ…アナログ・デジタル変換部、２０…色分解プリズム、３０Ｒ，３０Ｇ，３０Ｂ…撮像素子、３１Ｒ，３１Ｇ，３１Ｂ…端子、４０Ｒ，４０Ｇ，４０Ｂ…回路基板、４１Ｒ，４１Ｇ，４１Ｂ…フレキシブルケーブル、５０Ｒ，５０Ｇ，５０Ｂ…放熱板、５１Ｒ，５１Ｇ，５１Ｂ…回り止め用曲げ部、５２Ｒ，５２Ｇ，５２Ｂ…ネジ用孔、５３Ｇ−ａ，５３Ｇ−ｂ…位置合わせ用孔、６０Ｒ，６０Ｇ，６０Ｂ…絶縁板、７０Ｒ，７０Ｇ，７０Ｂ…接地用基板、７１Ｒ，７１Ｇ，７１Ｂ…回り止め用孔、７２Ｒ，７２Ｇ，７２Ｂ…ネジ用孔、８０Ｒ，８０Ｇ，８０Ｂ…ネジ、９０…導電板、９１Ｇ…回り止め用孔、９２Ｒ，９２Ｇ，９２Ｂ…ネジ用孔、９３Ｒ…回り止め用切り欠き、１００…プリズムブロック、２００…撮像装置
【図１】
2008198669.tif 000003
【図２】
2008198669.tif 000004
【図３】
2008198669.tif 000005
【図４】
2008198669.tif 000006
【図５】
2008198669.tif 000007
【図６】
2008198669.tif 000008
【図７】
2008198669.tif 000009
【図８】
2008198669.tif 000010
【図９】
2008198669.tif 000011